(57)【要約】【目的】  電子メールの閲覧において放送視聴との関係で利便性を向上させることができる放送受信装置を提供する。【構成】  携帯型受信端末２でディジタル放送を視聴中に電子メールの着信があると、この電子メールを自動的に開く処理、或いは、ユーザの指示に従って電子メールを開く処理が行われることになる。そして、このように放送受信映像の表示中に電子メールを開く処理を行うときには、電子メール内容（本文）用の表示画面に切り替える処理を行うのではなく、放送受信映像の表示を継続しつつ前記電子メールを開いて得られる内容（本文）をＯＳＤ機能によって同一画面（液晶表示パネル２０２）内に表示するようになっている。【選択図】      図１
2010136430.tif 000002
【特許請求の範囲】
【請求項１】
放送波を受信する放送受信部と、前記放送受信部により受信した放送波に基づく放送受信映像をディスプレイに表示する映像表示制御部と、通信ネットワークを介して電子メールを受信する電子メール受信部と、メールアドレスを記憶するメモリと、を備えており、
前記映像表示制御部は、前記放送受信映像を表示する際に、前記電子メール受信部により電子メールを受信した場合、当該電子メールのアドレスが前記メモリに記憶されているときには、当該電子メールを開いて得られる内容と現在表示中の放送受信映像とを前記ディスプレイに同時に表示し、当該電子メールのアドレスが前記メモリに記憶されていないときには、当該電子メールを開いて得られる内容と現在表示中の放送受信映像とを前記ディスプレイに同時に表示しないよう制御すると共に、
前記アドレスが前記メモリに記憶されていない電子メールを前記メモリに格納し、所定の指示に基づいて該格納された電子メールを開く処理を行う、
ことを特徴とする放送受信装置。
【請求項２】
請求項１に記載の放送受信装置において、電子メールを開いて得られる内容を放送受信映像に重畳して表示することを特徴とする放送受信装置。
【請求項３】
請求項２に記載の放送受信装置において、電子メールを開いて得られる内容の表示は半透明文字を用いて表示することを特徴とする放送受信装置。
【請求項４】
請求項１に記載の放送受信装置において、放送受信映像の画面サイズを縮小する処理を行うと共に、この画面サイズ変更による画面余部に電子メールを開いて得られる内容を表示することを特徴とする放送受信装置。
【請求項５】
請求項１乃至請求項３のいずれかに記載の放送受信装置において、電子メールを開いて得られる内容を画面上でスクロール表示することを特徴とする放送受信装置。
【請求項６】
請求項１乃至請求項５のいずれかに記載の放送受信装置において、放送受信映像の表示を継続しつつ前記電子メールを開いて得られる内容を同一画面内に表示するかどうかがユーザ設定によって選択できるように構成されたことを特徴とする放送受信装置。
【請求項７】
請求項１乃至請求項６のいずれかに記載の放送受信装置において、放送受信映像の表示を継続しつつ前記電子メールを開いて得られる内容を同時に表示するときには、そのことを示す報知音を発生することを特徴とする放送受信装置。
【発明の詳細な説明】
【技術分野】
【０００１】
この発明は、放送波を受信する放送受信装置に関する。
【背景技術】
【０００２】
ディジタル放送システムにおいては、放送局側で番組に関する情報等を映像や
音声に付加して圧縮し、例えばＭＰＥＧ（Ｍｏｖｉｎｇ  Ｐｉｃｔｕｒｅ  Ｅｘ
ｐｅｒｔｓ  Ｇｒｏｕｐ）によって多重化したトランスポートストリームをディ
ジタル変調して送信している。そして、受信装置の側では、受信したディジタル
変調信号を復調してトランスポートストリームを生成し、これを映像、音声、そ
の他の情報に分離し解析することによりユーザに番組等を提示する。
【０００３】
また、携帯型の情報端末において、電子メールの送受信機能及びディジタル放
送受信機能の両方を備えるものが提案されている（特許文献１参照）。
【先行技術文献】
【特許文献】
【０００４】
【特許文献１】特開２００２−３５３９１５号公報
【発明の概要】
【発明が解決しようとする課題】
【０００５】
従来技術として、メール送受信機能を備える携帯電話では、メール受信時に他
の機能を起動させていた場合、電子メールの受信は実行できても電子メールの閲
覧を行うためには他の機能を動作を停止させる必要がある。また、上記公報に開
示された携帯情報端末では、電子メールの閲覧において放送視聴との関係で利便
性を向上させることについては、特に示されていない。
【０００６】
この発明は、上記事情に鑑み、電子メールの閲覧において放送視聴との関係で
利便性を向上させることができる放送受信装置を提供することを目的とする。
【課題を解決するための手段】
【０００７】
この発明の放送受信装置は、上記の課題を解決するために、放送を受信して画
面に映像を表示する放送受信装置において、通信ネットワークを介して電子メー
ルを受信する手段を備え、放送受信映像の表示中に電子メールを開く処理を行う
ときには、放送受信映像の表示を継続しつつ前記電子メールを開いて得られる内
容をオンスクリーンディスプレイ機能によって同一画面内に表示するように構成
されたことを特徴とする。
【０００８】
上記の構成であれば、放送視聴機能の起動中に電子メールを開く処理を行うと
きでも放送視聴機能の動作は停止せずに維持され、前記電子メールを開いて得ら
れる内容がオンスクリーンディスプレイ機能によって同一画面内に表示されるこ
とになるので、利用者は放送視聴を継続しつつ電子メールの本文を閲覧すること
が可能になる。
【０００９】
電子メールを開いて得られる内容を放送受信映像に重畳して表示するように構
成されていてもよい。また、かかる構成において、電子メールを開いて得られる
内容の表示は半透明文字を用いて表示されるように構成されているのがよい。一
方、放送受信映像の画面サイズを縮小する処理を行うと共に、この画面サイズ変
更による画面余部に電子メールを開いて得られる内容を表示するように構成され
ていてもよい。
【００１０】
電子メールを開いて得られる内容が画面上でスクロール表示されるように構成
されているのがよい。これによれは、メール内容の表示に占める領域を少なくし
て放送受信映像に対する影響を極力低減することができる。
【００１１】
メールアドレスを登録する手段と、着信した電子メールが登録されたメールア
ドレスからのものかどうかを判断する手段と、を備え、登録されたアドレスの電
子メールについてだけ、放送受信映像の表示を継続しつつ前記電子メールを開い
て得られる内容を同一画面内に表示するように構成されていてもよい。
【００１２】
放送受信映像の表示を継続しつつ前記電子メールを開いて得られる内容を同一
画面内に表示するかどうかがユーザ設定によって選択できるように構成されてい
てもよい。また、放送受信映像の表示を継続しつつ前記電子メールを開いて得ら
れる内容を同一画面内に表示するときには、そのことを示す報知音を発生するよ
うに構成されていてもよい。
【発明の効果】
【００１３】
以上説明したように、この発明によれば、放送受信映像の表示画面に電子メー
ルの本文が表示されるので、放送視聴を継続しつつ電子メール本文を見ることが
できることになる。
【図面の簡単な説明】
【００１４】
【図１】この発明の実施形態の放送受信装置及びメールサーバ等を例示したシステム概要図である。
【図２】この発明の実施形態の携帯型受信端末を示したブロック図である。
【発明を実施するための形態】
【００１５】
以下、この発明の実施形態を図１及び図２に基づいて説明する。
【００１６】
図１はこの実施形態の携帯型受信端末及びメールサーバ等を示したシステム概
要図であり、図２は放送受信装置を示したブロック図である。
【００１７】
携帯型受信端末２は、図１に示しているように、例えば携帯電話型の形状を有
しており、図２に示すごとく、電池２２１により駆動される。この携帯型受信端
末２は、地上波ディジタルチューナ２３０による放送受信により得られた符号化
映像・音声データ、或いは、スロット２０１に差し込まれたメモリカード３等か
ら読み出した符号化映像・音声データにより、映像を液晶表示パネル２０２上に
映し出すとともに、音声をイヤホン２０３から出力するようになっている。視聴
に関する操作ボタン（プレイ／ポーズ、ストップ、送り、音量等）やテンキー等
については筐体部に設けている。なお，この実施形態では符号化映像・音声デー
タはＭＰＥＧ４データであるとする。
【００１８】
メモリカード３から読み出したＭＰＥＧ４データは、ＰＣＭＣＩＡインターフ
ェイス２２０、及びシステムバス２１３を経てＭＰＥＧ４ビデオデコーダ２０４
に供給される。また、地上ディジタル放送を受信するチューナ２３０は、この地
上ディジタル放送で放送されるＭＰＥＧ４のビットストリームデータを取り出し
、ＭＰＥＧ４ビデオデコーダ２０４やオーディオデコーダ（ＭＰＥＧ４−ＡＡＣ
）２０６に与える。
【００１９】
ＭＰＥＧ４ビデオデコーダ２０４は、ＭＰＥＧ４のビットストリームデータを
復号して量子化係数や動きベクトルを求め、逆ＤＣＴ変換や動きベクトルに基づ
く動き補償制御などを行うことによって得た映像データをグラフィックスコント
ローラ２０５に供給する。グラフィックスコントローラ２０５は映像データ（例
えば、Ｒ，Ｇ，Ｂデータ）に対して色調整等の処理を施す。また、グラフィック
スコントローラ２０５はＣＰＵ２０９から出力指示された文字等（操作ボタン、
メニュー画面、地上ディジタル放送から取得した番組情報によるＥＰＧ画面、電
子メールの内容である文字等等）を液晶表示パネル２０２に表示するＯＳＤ（オ
ンスクリーンディスプレイ）処理も行う。オーディオデコーダ２０６は、ビット
ストリーム中の音声符号データを復号して音声データを生成する。ＳＤＲＡＭ２
１０は、ＭＰＥＧ４ビデオデコーダ２０４の上記処理において利用される。
【００２０】
ＬＣＤコントローラ２０７は、グラフィックスコントローラ２０５から供給さ
れた映像データに基づいて液晶表示パネル２０２を駆動する。また、Ｄ／Ａ変換
器２０８は、オーディオデコーダ２０６から出力された音声データを受け取って
Ｄ／Ａ変換を行い、右（Ｒ）音のアナログ信号及び左（Ｌ）音のアナログ信号を
生成してイヤホン２０３に与える。
【００２１】
本体キー２１４は先述した視聴に関する操作ボタン（プレイ／ポーズ、ストッ
プ、送り）やテンキー等に相当する。この本体キー２１４に対する操作情報は、
インターフェイス２１５、及びシステムバス２１３を介してＣＰＵ２０９に与え
られる。ＣＰＵ２０９は上記操作情報に基づいて必要な処理を実行する。
【００２２】
また、近距離無線ネットワークを可能にするために、通信ブロック（無線ＬＡ
Ｎブロック等）２１６及びインターフェイス２１７が設けられている。更に、Ｆ
ｌａｓｈＲＯＭ２１８やＳＤＲＡＭ２１９も備える。電池２２１は二次電池であ
り、図示しない充電器から電力の供給を得てこれを蓄えるようになっている。携
帯電話部２３１は通常の電話のために用いることとしている。
【００２３】
ＣＰＵ２０９は、無線ネットワークのための処理、スロット２０１にＰＨＳデ
ータカード４によるデータ送受信（インターネット接続処理、電子メール送受信
など）、受信データに基づく各機能部の制御、ＦｌａｓｈＲＯＭ２１８やＳＤＲ
ＡＭ２１９のリード／ライト制御なども行うようになっている。
【００２４】
ここで、携帯型受信端末２で放送を視聴中に電子メールの着信があると、この
電子メールを自動的に開く処理、或いは、ユーザの指示に従って電子メールを開
く処理が行われることになる。そして、このように放送受信映像の表示中に電子
メールを開く処理を行うときには、電子メール内容（本文）用の表示画面に切り
替える処理を行うのではなく、放送受信映像の表示を継続しつつ前記電子メール
を開いて得られる内容を前記ＯＳＤ機能によって同一画面（液晶表示パネル２０
２）内に表示するようになっている。例えばＰＨＳデータカード４にて受信した
電子メールは、ＰＣＭＣＩＡインターフェイス２２０、及びシステムバス２１３
を経てＣＰＵ２０９へ供給される。ＣＰＵ２０９は、電子メールのヘッダー部分
に記載されたメールタイトル、送信者情報（メールアドレス）、メール本文をな
すキャラクタデータを所定メモリに記憶して管理する。そして、前述した電子メ
ールを開く処理を行うときには、メール本文をなすキャラクタデータをメモリか
ら読み出し、当該キャラクタをＯＳＤ表示するようにグラフィックスコントロー
ラ２０５に指令を与える。グラフィックスコントローラ２０５は、ＯＳＤプレー
ン上にメール本文をなすキャラクタデータを載せ、これと放送受信映像プレーン
とを合成して出力する。
【００２５】
上記合成出力においては、電子メールを開いて得られる内容を放送受信映像に
重畳して表示することができるが、この実施形態では、表示文字として半透明文
字を用いて表示するようにしている。
【００２６】
また、グラフィックスコントローラ２０５は、放送受信映像の画面サイズを縮
小する処理（スケーリング処理）を行うことができ、この画面サイズ変更による
画面余部に電子メールを開いて得られる内容が表示されるように、サイズ変更画
面（動画プレーン）の生成及びＯＳＤプレーンの生成を行う。
【００２７】
また、グラフィックスコントローラ２０５は、電子メールを開いて得られる内
容を画面上でスクロール表示させることもできる。ここで、ディジタル放送にお
いては、字幕サービスを提供できるが、この字幕サービスにおいては、字幕文字
を所定速度でスクロール表示できるようになっている。電子メール内容の表示に
おいては、字幕と異なり表示映像との同期をとる必要がなく、放送受信映像の動
画プレーンと字幕文字的なスクロール文字プレーンとを生成してこれらを合成し
て映像表示を行うようにすればよい。スクロール速度については、予め定めたス
クロール速度或いはユーザ指示によるスクロール速度とする。また、ユーザが所
定ボタンを押す度に文字がスクロールしていくようにしてもよい。
【００２８】
また、ＣＰＵ２０９は、前述したように、電子メールのヘッダー部分に記載さ
れたメールタイトル、送信者情報（メールアドレス）、メール本文をなすキャラ
クタデータを所定メモリに記憶して管理するが、ユーザによって予め登録されて
いるメールアドレスと、着信した電子メールのメールアドレス（着信者情報）と
を対比して、着信した電子メールが予め登録されている者からのメールかどうか
を判断することができる。メールアドレスを登録する機能については、既存の機
能を用いればよい。ＣＰＵ２０９は、前述した受信映像の表示を行いつつメール
本文表示を行う処理が、予め登録されたアドレスからの電子メールについてだけ
行うようユーザによって指定されているときには、上記判断処理を行ってメール
表示処理を行うかどうかを決定することになる。これによれば、特定の送信者か
らの電子メールについてだけ放送映像を視聴しながら確認することができること
となり、例えば、重要でないメールなどによって放送視聴を妨害されるといった
ことを防ぐことができる。
【００２９】
携帯型受信端末２の液晶表示パネル２０２にメニュー画面を表示させることと
し、ここに「電子メール表示設定」の項目を用意しておき、これが選択されたと
きに、「登録アドレスのメールのみ受信映像と共に表示  ＹＥＳ／ＮＯ」といっ
た選択項目が表示されるようになっていれば、上述したユーザ指定が行えること
になる。また、「メール本文を受信映像と共に表示  ＯＮ／ＯＦＦ」といった選
択項目を用意しておくことで、メール本文を受信映像と共に表示する機能そのも
ののＯＮ／ＯＦＦをユーザが切り替えることができることになる。
【００３０】
また、ＣＰＵ２０９は、図示しないブザーやメロディ生成器を利用し、メール
本文を受信映像と共に表示するときには、そのことを示す報知音を発生するよう
に成っていてもよい。
【００３１】
なお、上記の説明においては、ＰＨＳデータカード４を介してメール受信を行
うこととしたが、これに限るものではなく、例えば携帯電話部２３１等を介して
電子メールを受信することも可能である。また、放送受信装置としては、携帯型
受信端末に限らず、固定受信装置として構成することもできる。
【符号の説明】
【００３２】
２      携帯型受信端末
２０２  液晶表示パネル
２０４  ＭＰＥＧ４ビデオデコーダ
２０９  ＣＰＵ
３      メモリカード
４      ＰＨＳデータカード
５      メール・サーバ
６      ネットワーク
【図１】
2010136430.tif 000003
【図２】
2010136430.tif 000004